(57)【要約】【課題】電子アルバムに含まれる画像を、既に作成されたビデオストリームにおける構成及び順序とは異なる構成及び順序で、スライドショーとして表示する。【解決手段】複数の画像を含む電子アルバムを表示する電子アルバム表示システムであって、複数の画像をフレーム画像として含むビデオストリームを格納するビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像を再生するスケジュールを格納するスケジュール格納部と、少なくとも一部の画像のそれぞれをスケジュールに従って再生させるべく、再生部を遠隔操作する遠隔操作部とを有する電子アルバム表示システムを提供する。【選択図】図１
2005317171.tif 000002
【特許請求の範囲】
【請求項１】
複数の画像を含む電子アルバムを表示する電子アルバム表示システムであって、
前記複数の画像をフレーム画像として含むビデオストリームを格納するビデオストリーム格納部と、
前記ビデオストリームを再生する再生部と、
無線通信によって前記再生部を遠隔操作するリモートコントローラと、
前記再生部により再生される前記ビデオストリームを表示する表示部と
を備え、
前記リモートコントローラは、
前記複数の画像のうち、少なくとも一部の画像を再生するスケジュールを格納するスケジュール格納部と、
前記少なくとも一部の画像のそれぞれを前記スケジュールに従って再生させるべく、前記再生部を遠隔操作する遠隔操作部と
を有する電子アルバム表示システム。
【請求項２】
前記スケジュール格納部は、前記スケジュールとして、前記少なくとも一部の画像の再生順序、及び前記少なくとも一部の画像のそれぞれの、前記ビデオストリームにおける位置を示す情報を格納し、
前記遠隔操作部は、前記再生部における前記ビデオストリームの再生位置を、前記再生順序に従って、前記少なくとも一部の画像のそれぞれの位置に順次変更させるべく、前記再生部を遠隔操作する
請求項１に記載の電子アルバム表示システム。
【請求項３】
前記スケジュール格納部は、前記スケジュールとして、前記少なくとも一部の画像のそれぞれについて、前記再生部が当該画像を再生させ続ける時間である再生持続時間を格納し、
前記遠隔操作部は、前記少なくとも一部の画像のそれぞれについて、当該画像が再生された状態で前記ビデオストリームの再生を一時停止させると共に、当該画像における前記再生持続時間の間、一時停止状態を持続させるべく、前記再生部を遠隔操作する
請求項１に記載の電子アルバム表示システム。
【請求項４】
前記スケジュール格納部は、前記リモートコントローラに対して交換可能に設けられる  請求項１に記載の電子アルバム表示システム。
【請求項５】
前記ビデオストリーム格納部は、書き換え不可能な記録媒体であり、
前記スケジュール格納部は、書き換え可能な記録媒体である
請求項１に記載の電子アルバム表示システム。
【請求項６】
前記ビデオストリーム格納部は、ＭＰＥＧ２フォーマットで前記ビデオストリームを格納するＤＶＤ−Ｖｉｄｅｏディスクであり、
前記再生部は、前記ＤＶＤ−Ｖｉｄｅｏディスクを再生するＤＶＤ−Ｖｉｄｅｏ再生装置である
請求項１に記載の電子アルバム表示システム。
【請求項７】
前記スケジュール格納部は、前記スケジュールとして、前記少なくとも一部の画像の再生順序、及び前記少なくとも一部の画像のそれぞれが含まれるチャプターを示す情報を格納し、
前記遠隔操作部は、前記再生部における前記ビデオストリームの再生位置を、前記再生順序に従って、前記少なくとも一部の画像のそれぞれが含まれる前記チャプターの位置に順次変更させるべく、前記再生部を遠隔操作する
請求項６に記載の電子アルバム表示システム。
【請求項８】
前記ビデオストリーム格納部は、前記複数の画像のそれぞれの、前記ビデオストリームにおける位置を示す情報を更に格納し、
当該電子アルバム表示システムは、
前記ビデオストリーム格納部が格納する、前記複数の画像のそれぞれの位置を示す情報に基づいて、前記スケジュールを生成するスケジュール生成装置
を更に備える
請求項１に記載の電子アルバム表示システム。
【請求項９】
前記ビデオストリーム格納部は、前記複数の画像のそれぞれが含まれるチャプターを示す情報を更に格納し、
当該電子アルバム表示システムは、
前記複数の画像のそれぞれが含まれるチャプターを示す情報に基づいて前記スケジュールを生成するスケジュール生成装置
を更に備える
請求項６に記載の電子アルバム表示システム。
【請求項１０】
複数の画像を含む電子アルバムを表示する電子アルバム表示方法であって、
再生部が前記複数の画像をフレーム画像として含むビデオストリームを再生する再生段階と、
リモートコントローラが無線通信によって前記再生部を遠隔操作するリモートコントロール段階と、
前記再生段階において再生される前記ビデオストリームを表示する表示段階と
を備え、
前記リモートコントロール段階は、
前記リモートコントローラが有するスケジュール格納部に格納される、前記複数の画像のうち少なくとも一部の画像を再生するスケジュールに従って、前記少なくとも一部の画像のそれぞれを再生させるべく、前記再生部を遠隔操作する遠隔操作段階
を有する電子アルバム表示方法。
【請求項１１】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像を再生するスケジュールを格納するスケジュール格納部と、
前記少なくとも一部の画像のそれぞれを前記スケジュールに従って再生させるべく、前記再生部を遠隔操作する遠隔操作部と
を備えるリモートコントローラ。
【請求項１２】
ビデオストリームを再生する再生部を無線通信によって遠隔操作するリモートコントローラを機能させるリモートコントロールプログラムであって、
前記ビデオストリームは複数の画像をフレーム画像として含み、
当該リモートコントローラを、
前記複数の画像のうち、少なくとも一部の画像を再生するスケジュールを格納するスケジュール格納部と、
前記少なくとも一部の画像のそれぞれを前記スケジュールに従って再生させるべく、前記再生部を遠隔操作する遠隔操作部と
を備えるリモートコントローラとして機能させるリモートコントロールプログラム。
【請求項１３】
ビデオストリーム格納部が格納するビデオストリームを再生するスケジュールを生成するスケジュール生成装置であって、
前記ビデオストリームは複数の画像をフレーム画像として含み、
リモートコントローラは、前記複数の画像のうち、少なくとも一部の画像を再生する前記スケジュールを格納するスケジュール格納部を有し、
前記ビデオストリーム格納部は、前記複数の画像のそれぞれの、前記ビデオストリームにおける位置を示す情報を更に格納し、
当該スケジュール生成装置は、前記ビデオストリーム格納部が格納する、前記複数の画像のそれぞれの位置を示す情報に基づいて、前記ビデオストリームを改変することなく、前記複数の画像のうち少なくとも一部の画像を再生する、前記スケジュール格納部が格納するべき前記スケジュールを生成する
スケジュール生成装置。
【請求項１４】
ビデオストリーム格納部が格納するビデオストリームを再生するスケジュールを生成するスケジュール生成装置としてコンピュータを機能させるスケジュール生成プログラムであって、
前記ビデオストリームは複数の画像をフレーム画像として含み、
リモートコントローラは、前記複数の画像のうち、少なくとも一部の画像を再生する前記スケジュールを格納するスケジュール格納部を有し、
前記ビデオストリーム格納部は、前記複数の画像のそれぞれの、前記ビデオストリームにおける位置を示す情報を更に格納し、
前記コンピュータを、
前記ビデオストリーム格納部が格納する、前記複数の画像のそれぞれの位置を示す情報に基づいて、前記ビデオストリームを改変することなく、前記複数の画像のうち少なくとも一部の画像を再生する、前記スケジュール格納部が格納するべき前記スケジュールを生成するスケジュール生成装置として機能させるスケジュール生成プログラム。
【発明の詳細な説明】
【技術分野】
【０００１】
本発明は、電子アルバム表示システム、電子アルバム表示方法、リモートコントローラ、リモートコントロールプログラム、スケジュール生成装置、及びスケジュール生成プログラムに関する。特に本発明は、複数の画像を含む電子アルバムを表示する電子アルバム表示システム、電子アルバム表示方法、並びに当該電子アルバム表示システムにおいて用いられるリモートコントローラ、リモートコントロールプログラム、スケジュール生成装置、及びスケジュール生成プログラムに関する。
【背景技術】
【０００２】
近年、デジタルカメラが急速に普及しており、デジタルカメラの利用者は、プリントされていないデジタル画像データを数多く所有している。また、近年、ネガフィルムやプリント済みの写真をデジタイズし、デジタル画像データを作成するサービスが行われている。しかし、利用者がこれらのデジタル画像データを参照するためには、パーソナルコンピュータ等の情報機器を利用する必要があり、手軽さに欠けていた。
【０００３】
そこで、デジタル画像データをＭＰＥＧ２フォーマット等のビデオストリームとして加工して、ＤＶＤ−Ｖｉｄｅｏディスク等を作成することにより、利用者が、ＤＶＤプレイヤー等を用いて、デジタル画像データをスライドショー形式で参照することができる技術が公開されている（例えば、特許文献１）。
【０００４】
【特許文献１】特開２００３−２５９３０３
【発明の開示】
【発明が解決しようとする課題】
【０００５】
しかしながら、特許文献１に記載の技術によれば、既に作成されたＤＶＤ−Ｖｉｄｅｏディスクに対して、スライドショーとして表示される画像の構成及び順序を変更することはできず、異なる構成及び順序で画像を表示する場合には、元のデジタル画像データから他のＤＶＤ−Ｖｉｄｅｏディスクを作成する必要があった。このため、利用者が、作成されたＤＶＤ−Ｖｉｄｅｏディスクを用いたスライドショーの内容に満足していない場合であっても、その内容を手軽に修正することができないという問題があった。
【０００６】
そこで本発明は、上記の課題を解決することができる電子アルバム表示システム、電子アルバム表示方法、リモートコントローラ、リモートコントロールプログラム、スケジュール生成装置、及びスケジュール生成プログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、複数の画像を含む電子アルバムを表示する電子アルバム表示システムであって、複数の画像をフレーム画像として含むビデオストリームを格納するビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像を再生するスケジュールを格納するスケジュール格納部と、少なくとも一部の画像のそれぞれをスケジュールに従って再生させるべく、再生部を遠隔操作する遠隔操作部とを有する。
【０００８】
スケジュール格納部は、スケジュールとして、少なくとも一部の画像の再生順序、及び少なくとも一部の画像のそれぞれの、ビデオストリームにおける位置を示す情報を格納し、遠隔操作部は、再生部におけるビデオストリームの再生位置を、再生順序に従って、少なくとも一部の画像のそれぞれの位置に順次変更させるべく、再生部を遠隔操作してもよい。スケジュール格納部は、スケジュールとして、少なくとも一部の画像のそれぞれについて、再生部が当該画像を再生させ続ける時間である再生持続時間を格納し、遠隔操作部は、少なくとも一部の画像のそれぞれについて、当該画像が再生された状態でビデオストリームの再生を一時停止させると共に、当該画像における再生持続時間の間、一時停止状態を持続させるべく、再生部を遠隔操作してもよい。
【０００９】
スケジュール格納部は、リモートコントローラに対して交換可能に設けられてもよい。ビデオストリーム格納部は、書き換え不可能な記録媒体であり、スケジュール格納部は、書き換え可能な記録媒体であってもよい。ビデオストリーム格納部は、ＭＰＥＧ２フォーマットでビデオストリームを格納するＤＶＤ−Ｖｉｄｅｏディスクであり、再生部は、ＤＶＤ−Ｖｉｄｅｏディスクを再生するＤＶＤ−Ｖｉｄｅｏ再生装置であってもよい。スケジュール格納部は、スケジュールとして、少なくとも一部の画像の再生順序、及び少なくとも一部の画像のそれぞれが含まれるチャプターを示す情報を格納し、遠隔操作部は、再生部におけるビデオストリームの再生位置を、再生順序に従って、少なくとも一部の画像のそれぞれが含まれるチャプターの位置に順次変更させるべく、再生部を遠隔操作してもよい。
【００１０】
ビデオストリーム格納部は、複数の画像のそれぞれの、ビデオストリームにおける位置を示す情報を更に格納し、当該電子アルバム表示システムは、ビデオストリーム格納部が格納する、複数の画像のそれぞれの位置を示す情報に基づいて、スケジュールを生成するスケジュール生成装置を更に備えてもよい。ビデオストリーム格納部は、複数の画像のそれぞれが含まれるチャプターを示す情報を更に格納し、当該電子アルバム表示システムは、複数の画像のそれぞれが含まれるチャプターを示す情報に基づいてスケジュールを生成するスケジュール生成装置を更に備えてもよい。
【００１１】
また、本発明の第２の形態においては、複数の画像を含む電子アルバムを表示する電子アルバム表示方法であって、再生部が複数の画像をフレーム画像として含むビデオストリームを再生する再生段階と、リモートコントローラが無線通信によって再生部を遠隔操作するリモートコントロール段階と、再生段階において再生されるビデオストリームを表示する表示段階とを備え、リモートコントロール段階は、リモートコントローラが有するスケジュール格納部に格納される、複数の画像のうち少なくとも一部の画像を再生するスケジュールに従って、少なくとも一部の画像のそれぞれを再生させるべく、再生部を遠隔操作する遠隔操作段階を有する。
【００１２】
また、本発明の第３の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像を再生するスケジュールを格納するスケジュール格納部と、少なくとも一部の画像のそれぞれをスケジュールに従って再生させるべく、再生部を遠隔操作する遠隔操作部とを備える。
【００１３】
また、本発明の第４の形態においては、ビデオストリームを再生する再生部を無線通信によって遠隔操作するリモートコントローラを機能させるリモートコントロールプログラムであって、ビデオストリームは複数の画像をフレーム画像として含み、当該リモートコントローラを、複数の画像のうち、少なくとも一部の画像を再生するスケジュールを格納するスケジュール格納部と、少なくとも一部の画像のそれぞれをスケジュールに従って再生させるべく、再生部を遠隔操作する遠隔操作部とを備えるリモートコントローラとして機能させる。
【００１４】
また、本発明の第５の形態においては、ビデオストリーム格納部が格納するビデオストリームを再生するスケジュールを生成するスケジュール生成装置であって、ビデオストリームは複数の画像をフレーム画像として含み、リモートコントローラは、複数の画像のうち、少なくとも一部の画像を再生するスケジュールを格納するスケジュール格納部を有し、ビデオストリーム格納部は、複数の画像のそれぞれの、ビデオストリームにおける位置を示す情報を更に格納し、当該スケジュール生成装置は、ビデオストリーム格納部が格納する、複数の画像のそれぞれの位置を示す情報に基づいて、ビデオストリームを改変することなく、複数の画像のうち少なくとも一部の画像を再生する、スケジュール格納部が格納するべきスケジュールを生成する。
【００１５】
また、本発明の第６の形態においては、ビデオストリーム格納部が格納するビデオストリームを再生するスケジュールを生成するスケジュール生成装置としてコンピュータを機能させるプログラムであって、ビデオストリームは複数の画像をフレーム画像として含み、リモートコントローラは、複数の画像のうち、少なくとも一部の画像を再生するスケジュールを格納するスケジュール格納部を有し、ビデオストリーム格納部は、複数の画像のそれぞれの、ビデオストリームにおける位置を示す情報を更に格納し、コンピュータを、ビデオストリーム格納部が格納する、複数の画像のそれぞれの位置を示す情報に基づいて、ビデオストリームを改変することなく、複数の画像のうち少なくとも一部の画像を再生する、スケジュール格納部が格納するべきスケジュールを生成するスケジュール生成装置として機能させる。
【００１６】
なお、上記の発明の概要は、本発明の必要な特徴の全てを列挙したものではなく、これらの特徴群のサブコンビネーションもまた、発明となりうる。
【発明の効果】
【００１７】
本発明によれば、電子アルバムに含まれる画像を、既に作成されたビデオストリームにおける構成及び順序とは異なる構成及び順序で、スライドショーとして表示することができる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本発明の実施形態に係る電子アルバム表示システム１０の構成の一例を示すブロック図である。電子アルバム表示システム１０は、複数の画像を含む電子アルバムを、当該複数の画像が順次切り替わるスライドショーとして表示する。電子アルバム表示システム１０は、ＤＶＤ−Ｖｉｄｅｏディスク１００、ＤＶＤ−Ｖｉｄｅｏ再生装置１１０、コンピュータ１２０、メモリカード１３２及び遠隔操作部１３４を有するリモートコントローラ１３０、並びに表示部１４０を備える。
【００２０】
ＤＶＤ−Ｖｉｄｅｏディスク１００は、本発明におけるビデオストリーム格納部の一例であり、電子アルバムに含まれる複数の画像をフレーム画像として含むビデオストリームを格納する。具体的には、当該ビデオストリームは、ＭＰＥＧ２フォーマットのビデオストリームであり、電子アルバムに含まれる複数の画像のそれぞれを、例えば３秒等の予め定められた時間だけ連続するフレーム画像として含む。例えば、当該ビデオストリームは、電子アルバムに含まれる複数の画像のそれぞれを、ＭＰＥＧ２フォーマットにおける、他のフレーム画像を用いることなく再生可能なフレーム画像であるＩピクチャとして含むと共に、当該Ｉピクチャに予め定められた時間だけ続くフレーム画像として、差分が０であるＢピクチャまたはＰピクチャを含んでいてよい。また、当該ビデオストリームは、電子アルバムに含まれる複数の画像を示すフレーム画像に加えて、それぞれの画像が切り替わる位置に、例えばワイプ等のトランジション効果を示すフレーム画像を含んでいてもよく、また、それぞれの画像もしくは連続する一連の画像におけるタイトル等を示すフレーム画像を含んでいてもよい。また、当該ビデオストリームは、電子アルバムに含まれる複数の画像のそれぞれに対するアクセスを容易にするべく、当該画像を示す１以上の連続するフレーム画像を、ＤＶＤ−Ｖｉｄｅｏ規格におけるＰＴＴ（Ｐａｒｔ  ｏｆ  Ｔｉｔｌｅ）、即ちチャプターとして定義してよい。
【００２１】
ＤＶＤ−Ｖｉｄｅｏディスク１００は、ＤＶＤ−ＲＯＭやＤＶＤ−Ｒ等の書き換え不可能な記録媒体、及びＤＶＤ−ＲＷ等の書き換え可能な記録媒体の何れであってもよいが、記録されたビデオストリームを利用者が誤って消去してしまう危険性が低いという点で、書き換え不可能な記録媒体であることが好ましい。ＤＶＤ−Ｖｉｄｅｏディスク１００は、例えば、利用者からの依頼を受けたラボ等のサービスプロバイダによって、利用者により提出されたネガフィルム、プリント済みの写真、及びデジタルカメラの記録媒体等を用いて作成されてよい。そして、利用者は、作成されたＤＶＤ−Ｖｉｄｅｏディスク１００を再生することにより、電子アルバムに含まれる複数の画像が、ＤＶＤ−Ｖｉｄｅｏディスク１００の作成時に予め定められたスケジュールで切り替わって表示されるスライドショーとして楽しむことができる。ここで、スケジュールとは、スライドショーとして再生及び表示される画像の構成、画像が再生及び表示される順序、及びそれぞれの画像が再生及び表示される時間を示す情報を含んでいる。つまり、予め定められたスケジュールとは、電子アルバムに含まれる複数の画像が、ＤＶＤ−Ｖｉｄｅｏディスク１００に格納されたビデオストリームにフレーム画像として含まれる順序で、それぞれの画像を示すフレーム画像が連続する時間だけ、順次表示されるスケジュールを示す。
【００２２】
本発明の実施形態に係る電子アルバム表示システム１０は、電子アルバムに含まれる画像を予め定められたスケジュールで表示するべく作成されたビデオストリームを格納するＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
【００２３】
ＤＶＤ−Ｖｉｄｅｏ再生装置１１０は、例えばＤＶＤプレイヤーであり、ＤＶＤ−Ｖｉｄｅｏディスク１００に格納されたビデオストリームを再生し、当該ビデオストリームを示す映像信号を表示部１４０に出力する。また、ＤＶＤ−Ｖｉｄｅｏ再生装置１１０は、ＤＶＤ−Ｖｉｄｅｏディスク１００に格納されたオーディオストリームを再生し、当該オーディオストリームを示す音声信号を表示部１４０に出力してもよい。また、ＤＶＤ−Ｖｉｄｅｏ再生装置１１０は、赤外線受光器等の無線通信手段を有し、リモートコントローラ１３０と無線通信を行う。ＤＶＤ−Ｖｉｄｅｏ再生装置１１０は、本発明における再生部の一例である。
【００２４】
スケジュール生成装置１２０は、例えばパーソナルコンピュータであり、利用者の指示に従い、ＤＶＤ−Ｖｉｄｅｏディスク１００に格納された情報に基づいてスライドショーのスケジュールを生成する。そして、スケジュール生成装置１２０は、生成したスケジュールをメモリカード１３２に記録する。
【００２５】
リモートコントローラ１３０は、例えば赤外線通信等の無線通信によってＤＶＤ−Ｖｉｄｅｏ再生装置１１０を遠隔操作する。メモリカード１３２は、リモートコントローラ１３０に対して交換可能に設けられる書き換え可能な記録媒体であり、ＤＶＤ−Ｖｉｄｅｏディスク１００に格納されるビデオストリームに含まれる複数の画像のうち、少なくとも一部の画像を再生するスケジュールを格納する。例えば、メモリカード１３２は、フラッシュメモリ等の不揮発性メモリを有し、リモートコントローラ１３０に設けられたスロットに挿入されることにより、リモートコントローラ１３０に対して交換可能に設けられてよい。メモリカード１３２は、本発明におけるスケジュール格納部の一例である。
【００２６】
遠隔操作部１３４は、電子アルバムに含まれる複数の画像のうち、少なくとも一部の画像のそれぞれを、メモリカード１３２が格納するスケジュールに従って再生させるべく、ＤＶＤ−Ｖｉｄｅｏ再生装置１１０を赤外線通信等の無線通信によって遠隔操作する。例えば、遠隔操作部１３４は、赤外線ＬＥＤ等を用いて、ＤＶＤ−Ｖｉｄｅｏ再生装置１１０に赤外線信号を送信することにより、ＤＶＤ−Ｖｉｄｅｏ再生装置１１０を遠隔操作する。ここで、遠隔操作部１３４が行うＤＶＤ−Ｖｉｄｅｏ再生装置１１０の操作とは、例えば、再生の開始、再生の停止、再生の一時停止、次のチャプターへの再生位置の変更、前のチャプターへの再生位置の変更、及び任意のチャプターへの再生位置の変更等である。
【００２７】
一般に、ＤＶＤ−Ｖｉｄｅｏ再生装置１１０が赤外線通信により遠隔操作される場合の通信内容は、ＤＶＤ−Ｖｉｄｅｏ再生装置１１０の機種毎に異なる。そこで、遠隔操作部１３４が、特定の機種のＤＶＤ−Ｖｉｄｅｏ再生装置１１０のみに対応可能としてではなく、多様な機種のＤＶＤ−Ｖｉｄｅｏ再生装置１１０に対応可能として設けられる場合、遠隔操作部１３４は、例えば、ＤＶＤ−Ｖｉｄｅｏ再生装置１１０の機種毎、及び当該機種の制御種別毎における赤外線信号の波形等の通信内容を予め格納しており、利用者により指定されたＤＶＤ−Ｖｉｄｅｏ再生装置１１０の機種に応じた波形の赤外線信号を送出することにより、多様な機種のＤＶＤ−Ｖｉｄｅｏ再生装置１１０を制御してよい。なお、遠隔操作部１３４は、赤外線通信に代えて、ブルートゥース等の他の無線通信によりＤＶＤ−Ｖｉｄｅｏ再生装置１１０を遠隔操作してもよい。
【００２８】
表示部１４０は、例えば外部映像入力端子を備えるテレビ受像機であり、ＤＶＤ−Ｖｉｄｅｏ再生装置１１０により再生されるビデオストリームを示す映像信号を受け取って表示する。また、表示部１４０は、ＤＶＤ−Ｖｉｄｅｏ再生装置１１０により再生されるオーディオストリームを示す音声信号を受け取って、スピーカ等を用いて出力してもよい。
【００２９】
本発明の実施形態に係る電子アルバム表示システム１０によれば、ＤＶＤ−Ｖｉｄｅｏディスク１００に格納されたビデオストリームをＤＶＤ−Ｖｉｄｅｏ再生装置１１０により再生する際に、リモートコントローラ１３０がＤＶＤ−Ｖｉｄｅｏ再生装置１１０を遠隔操作することにより、当該ビデオストリームにおける予め定められたスケジュールとは異なるスケジュール、具体的にはメモリカード１３２に格納されたスケジュールでスライドショーを表示することができる。
【００３０】
また、従来の電子アルバム表示システムにおいては、利用者は、ＤＶＤ−Ｖｉｄｅｏディスク１００に格納されたビデオストリームにおけるスケジュールとは異なるスケジュールでスライドショーを表示させたい場合、ラボ等に当該スケジュールに基づく新たなＤＶＤ−Ｖｉｄｅｏディスクの作成を依頼したり、また、新たなＤＶＤ−Ｖｉｄｅｏディスクを自ら作成したりする必要があった。しかし、本発明の実施形態に係るリモートコントローラ１３０を用いることによって、ＤＶＤ−Ｖｉｄｅｏディスク１００と、ＤＶＤプレイヤーやテレビ受像器等の一般的な家庭用電気機器とを用いながらも、予め定められたスケジュールとは異なるスケジュールでスライドショーを表示することができるので、利用者の負担を軽減することができる。
【００３１】
また、本発明の実施形態に係る電子アルバム表示システム１０によれば、リモートコントローラ１３０として、赤外線通信機能等の無線通信機能を有する携帯電話端末を利用することもできる。こうすることにより、リモートコントローラ１３０を別途購入するといった負担を利用者に強いることなく、予め定められたスケジュールとは異なるスケジュールでスライドショーを表示することができる。
【００３２】
更に、本発明の実施形態に係る電子アルバム表示システム１０によれば、スライドショーを鑑賞する複数の利用者のそれぞれがリモートコントローラ１３０を有することができる。これにより、１枚のＤＶＤ−Ｖｉｄｅｏディスク１００の再生時に、それぞれの利用者が有するリモートコントローラ１３０に挿入されたメモリカード１３２に格納されたスケジュールのそれぞれを順次切り替えつつ用いて、スライドショーを表示することができる。
【００３３】
なお、電子アルバム表示システム１０の構成は、本図に示した構成には限定されず、本図に示した構成に多様な変更を加えてもよい。例えば、ＤＶＤ−Ｖｉｄｅｏディスク１００に格納されるビデオストリームは、ＭＰＥＧ２フォーマットによるビデオストリームでなく、例えばＭＰＥＧフォーマットやＭＰＥＧ４フォーマット等の、他のフォーマットによるビデオストリームであってもよい。また、ＤＶＤ−Ｖｉｄｅｏディスク１００は、ＶｉｄｅｏＣＤディスク等の、他のフォーマットまたは他の規格に基づいた、光学記録媒体、磁気記録媒体、光磁気記録媒体、半導体記録媒体等の記録媒体であってもよい。この場合、ＤＶＤ−Ｖｉｄｅｏ再生装置１１０は、それらの記録媒体を用いてビデオストリームを再生することのできる再生装置であってよい。
【００３４】
また、リモートコントローラ１３０は、メモリカード１３２に代えて、他の交換可能な記録媒体を有してよく、また、交換可能な記録媒体に代えて、交換不可能な不揮発性メモリ等の記録媒体を有してもよい。ここで、リモートコントローラ１３０が交換不可能な記録媒体を有している場合、スケジュール生成装置１２０は、リモートコントローラ１３０と有線通信または無線通信を行うことにより、生成したスケジュールを当該記録媒体に格納してよい。また、リモートコントローラ１３０は、有線通信または無線通信を行う通信手段を有し、ＤＶＤ−Ｖｉｄｅｏディスク１００の作成元等により作成されたスケジュールをインターネット等のネットワークを介して取得すると共に、取得したスケジュールに基づいてＤＶＤ−Ｖｉｄｅｏ再生装置１１０を制御することにより、当該スケジュールに基づいたスライドショーを表示させてもよい。
【００３５】
図２は、本発明の実施形態に係るメモリカード１３２に格納されるスケジュールの一例を示す。メモリカード１３２は、スライドショーのスケジュールとして、電子アルバムに含まれる複数の画像のうち、少なくとも一部の画像の再生順序、及び少なくとも一部の画像のそれぞれの、ビデオストリームにおける位置を示す情報を格納する。具体的には、メモリカード１３２は、スライドショーのスケジュールとして、少なくとも一部の画像の再生順序、及び少なくとも一部の画像のそれぞれが含まれるチャプターを示す情報を格納する。より具体的には、メモリカード１３２は、本図に示すように、電子アルバムに含まれる複数の画像のうち、少なくとも一部の、スライドショーとして表示されるべき画像について、それぞれの画像が含まれるチャプター、即ちＰＴＴを示す情報を、スライドショーとして表示される順に格納する。例えば、本図に示したスケジュールにおいては、スライドショーで最初に表示される画像は、３番目のチャプターにフレーム画像として含まれる。また、メモリカード１３２は、少なくとも一部の画像のそれぞれの位置を示す情報として、当該画像が含まれるチャプターを示す情報に代えて、例えばビデオストリームの先頭等の予め定められた位置から当該画像までの再生時間を格納してもよい。更に、メモリカード１３２は、スライドショーのスケジュールとして、少なくとも一部の画像のそれぞれについて、ＤＶＤ−Ｖｉｄｅｏ再生装置１１０が当該画像を再生させ続ける時間である再生持続時間、即ちスライドショーにおける当該画像の表示時間を格納する。例えば、本図に示したスケジュールにおいては、スライドショーで最初に表示される画像の再生持続時間は３秒である。
【００３６】
図３は、本発明の実施形態に係る電子アルバム表示システム１０における処理の流れの一例を示すフローチャートである。本例において、ＤＶＤ−Ｖｉｄｅｏディスク１００は、既にＤＶＤ−Ｖｉｄｅｏ再生装置１１０に挿入されているとする。まず、遠隔操作部１３４は、ＤＶＤ−Ｖｉｄｅｏ再生装置１１０によりＤＶＤ−Ｖｉｄｅｏディスク１００に格納されたビデオストリームの再生を開始させるべく、ＤＶＤ−Ｖｉｄｅｏ再生装置１１０を遠隔操作する（Ｓ１０００）。例えば、遠隔操作部１３４は、再生の開始を示す赤外線信号をＤＶＤ−Ｖｉｄｅｏ再生装置１１０に送信することにより、ビデオストリームの再生を開始させる。
【００３７】
そして、電子アルバム表示システム１０は、以下の処理を、メモリカード１３２に格納されたスケジュールより示される、電子アルバムに含まれる複数の画像のうち少なくとも一部の画像における再生順序に従って、当該少なくとも一部の画像のそれぞれについて繰り返す（Ｓ１０１０）。
【００３８】
まず、遠隔操作部１３４は、ＤＶＤ−Ｖｉｄｅｏ再生装置１１０におけるビデオストリームの再生位置を、メモリカード１３２に格納されたスケジュールが示す当該画像の位置に変更させるべく、ＤＶＤ−Ｖｉｄｅｏ再生装置１１０を遠隔操作する（Ｓ１０２０）。具体的には、遠隔操作部１３４は、ビデオストリームの再生位置を、メモリカード１３２に格納されたスケジュールが示す、当該画像が含まれるチャプターの先頭位置に変更させるべく、ＤＶＤ−Ｖｉｄｅｏ再生装置１１０を遠隔操作する。例えば、遠隔操作部１３４は、当該チャプターの先頭位置への再生位置の変更を示す赤外線信号をＤＶＤ−Ｖｉｄｅｏ再生装置１１０に送信することにより、ビデオストリームの再生位置を所望のチャプターに変更させる。ここで、遠隔操作部１３４は、再生位置を任意のチャプターに変更させる操作を行ってよく、また、再生位置を１つ前もしくは１つ後のチャプターに変更させる操作を行ってもよい。このようにして、遠隔操作部１３４は、ＤＶＤ−Ｖｉｄｅｏ再生装置１１０に当該画像を再生させることにより、表示部１４０に当該画像を表示させる。
【００３９】
また、ＤＶＤ−Ｖｉｄｅｏ再生装置１１０は、遠隔操作部１３４から遠隔操作されない場合には、通常通りにビデオストリームの再生を続行してよい。これにより、電子アルバム表示システム１０は、例えば、遠隔操作部１３４からの無線通信信号が、一時的にＤＶＤ−Ｖｉｄｅｏ再生装置１１０に届かない場合であっても、スライドショーの表示を中断することなく続行することができる。また、これにより、電子アルバム表示システム１０は、メモリカード１３２に格納されたスケジュールにおいて、前後して表示するべく示されている２つの画像のそれぞれが含まれるチャプターが、同様に前後して存在している場合に、遠隔操作部１３４がＤＶＤ−Ｖｉｄｅｏ再生装置１１０を遠隔操作しなくとも、スケジュールに従って画像を表示させることができる。なお、遠隔操作部１３４は、ビデオストリームの再生位置を、当該画像が含まれるチャプターの先頭位置に変更するのに代えて、チャプター内の他の位置に変更してもよい。
【００４０】
続いて、遠隔操作部１３４は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１０３０）。例えば、遠隔操作部１３４は、再生の一時停止を示す赤外線信号をＤＶＤ−Ｖｉｄｅｏ再生装置１１０に送信することにより、ビデオストリームの再生を一時停止させる。続いて、遠隔操作部１３４は、ＤＶＤ−Ｖｉｄｅｏ再生装置１１０にビデオストリームの再生を一時停止させた後、メモリカード１３２に格納されたスケジュールにより示される、当該画像における再生持続時間が経過したか否かを判定する（Ｓ１０４０）。再生持続時間が経過していないと遠隔操作部１３４により判定された場合（Ｓ１０４０：Ｎｏ）、電子アルバム表示システム１０は、処理をＳ１０４０に戻し、再生持続時間が経過したか否かを、遠隔操作部１３４に再度判定させる。一方、再生持続時間が経過していると判定した場合、言い換えれば、再生持続時間の間、ＤＶＤ−Ｖｉｄｅｏ再生装置１１０において一時停止状態が持続されていると判定した場合（Ｓ１０４０：Ｙｅｓ）、遠隔操作部１３４は、ＤＶＤ−Ｖｉｄｅｏ再生装置１１０におけるビデオストリームの再生の一時停止を解除させる（Ｓ１０５０）。具体的には、遠隔操作部１３４は、再生の一時停止の解除を示す赤外線信号をＤＶＤ−Ｖｉｄｅｏ再生装置１１０に送信することにより、ビデオストリームの再生の一時停止を解除させる。
【００４１】
そして、電子アルバム表示システム１０は、以上の処理を、電子アルバムに含まれる複数の画像のうち、少なくとも一部の画像のそれぞれについて繰り返す（Ｓ１０６０）。
【００４２】
本発明の実施形態に係る電子アルバム表示システム１０によれば、メモリカード１３２に格納されたスケジュールに従って、ＤＶＤ−Ｖｉｄｅｏ再生装置１１０におけるビデオストリームの再生位置を順次変更することにより、ビデオストリームにおける構成及び順序とは異なる構成及び順序で、電子アルバムに含まれる画像をスライドショーとして順次表示することができる。
【００４３】
また、本発明の実施形態に係る電子アルバム表示システム１０によれば、スライドショーとして表示する画像が再生された状態で、ビデオストリームの再生を一時停止すると共に、メモリカード１３２に格納されたスケジュールにより示される再生持続時間の間、一時停止状態を持続することにより、ビデオストリームにおいて予め定められた画像毎の表示時間とは異なる表示時間で、それぞれの画像を表示することができる。
【００４４】
更に、ビデオストリームの再生を一時停止して、それぞれの画像を表示させ続けることにより、ビデオストリームにおいてそれぞれの画像がフレーム画像として含まれる時間を、表示時間より短くすることができる。これにより、ビデオストリームの再生位置を変更したり、また再生を一時停止したりすることなくスライドショーを表示する場合に比べて、１枚のＤＶＤ−Ｖｉｄｅｏディスク１００に、より多くの画像を格納することができる。
【００４５】
なお、電子アルバム表示システム１０における処理の流れは、本図に示した内容に限定されず、本図に示した内容に多様な変更を加えてもよい。例えば、遠隔操作部１３４は、ビデオストリームの再生の一時停止を、次の画像を表示すべく再生位置を変更させた後で解除させてもよい。これにより、再生の一時停止を解除した後で、次の画像を示すフレーム画像に再生位置を変更する場合に、他の画像を示す不適切なフレーム画像が再生される様な、各画像の収録時間が短いビデオストリームを用いる場合であっても、不適切なフレーム画像が再生されることを防止することができる。また、ＤＶＤ−Ｖｉｄｅｏ再生装置１１０が、ビデオストリームの再生位置の変更に伴い、再生の一時停止を自動的に解除する場合には、遠隔操作部１３４は、再生の一時停止の解除を行わなくともよい。また、例えば、電子アルバムに含まれる複数の画像のそれぞれが含まれるチャプター内のＰＧＣ（Ｐｒｏｇｒａｍ  Ｃｈａｉｎ）の再生後に実行されるポストコマンドとして再生の一時停止が登録されている場合等のように、それぞれの画像を再生した状態で、ＤＶＤ−Ｖｉｄｅｏ再生装置１１０がビデオストリームの再生を一時停止するべく、ビデオストリームが作成されている場合、遠隔操作部１３４は、ビデオストリームの再生を一時停止させるべくＤＶＤ−Ｖｉｄｅｏ再生装置１１０を遠隔制御しなくともよい。
【００４６】
図４は、本発明の実施形態に係るＤＶＤ−Ｖｉｄｅｏディスク１００に格納される情報の一例を示す。ＤＶＤ−Ｖｉｄｅｏディスク１００は、ビデオストリームに加えて、以下に示す情報を更に格納する。ＤＶＤ−Ｖｉｄｅｏディスク１００は、電子アルバムに含まれる複数の画像のそれぞれについて、当該画像のビデオストリームにおける位置を示す情報、具体的には、当該画像が含まれるチャプターを示す情報を格納する。また、ＤＶＤ−Ｖｉｄｅｏディスク１００は、電子アルバムに含まれる複数の画像のそれぞれについて、当該画像のサムネイル画像を格納してよい。例えば、本図に示したＤＶＤ−Ｖｉｄｅｏディスク１００の場合、電子アルバムに含まれる複数の画像のうち一の画像は、１番目のチャプター、即ちＰＴＴにフレーム画像として含まれ、当該画像に対応付けてサムネイル画像２００が格納される。また、ＤＶＤ−Ｖｉｄｅｏディスク１００は、電子アルバムに含まれる複数の画像のそれぞれについて、例えばビデオストリームの先頭等の予め定められた位置から、当該画像までの再生時間を更に格納してもよい。
【００４７】
そして、ＤＶＤ−Ｖｉｄｅｏディスク１００は、これらの情報を、ビデオストリームが格納されるディレクトリ、具体的には、ＵＤＦ（Ｕｎｉｖｅｒｓａｌ  Ｄｉｓｋ  Ｆｏｒｍａｔ）規格のファイルシステムにおける、ルートディレクトリ直下のＶＩＤＥＯ＿ＴＳディレクトリとは、異なるディレクトリに格納してよい。こうすることにより、前述した情報がＤＶＤ−Ｖｉｄｅｏディスク１００に更に格納されている場合であっても、ＤＶＤ−Ｖｉｄｅｏ再生装置１１０がＤＶＤ−Ｖｉｄｅｏディスク１００に格納されたビデオストリームを正常に再生することができる。なお、前述した情報は、ＤＶＤ−Ｖｉｄｅｏディスク１００とは異なる記録媒体に格納されていてもよい。
【００４８】
図５は、本発明の実施形態に係るスケジュール生成装置１２０が表示する画面３００の一例を示す。利用者は、電子アルバムに含まれる複数の画像のうちスライドショーとして表示する画像、画像の表示順序、及びそれぞれの画像における表示時間等をスケジュール生成装置１２０に対して指示する。そして、スケジュール生成装置１２０は、利用者から指示された内容に加えて、電子アルバムに含まれる複数の画像のそれぞれについて、ＤＶＤ−Ｖｉｄｅｏディスク１００に格納される、当該画像のビデオストリームにおける位置を示す情報、具体的には、当該画像が含まれるチャプターを示す情報に基づいて、スライドショーにおけるスケジュールを生成する。本図では、スケジュール生成装置１２０がスケジュールを生成する処理について詳しく説明する。
【００４９】
スケジュール生成装置１２０は、例えばＬＣＤパネル等の表示装置を有するパーソナルコンピュータであり、グラフィカルユーザインターフェイスを備えるオペレーティングシステム（ＯＳ）を有する。そして、スケジュール生成装置１２０は、当該ＯＳ状でアプリケーションプログラムを実行することにより、表示装置に画面３００を表示する。画面３００は、ポインタ３１０、複数のサムネイル画像（３２０ａ〜ｉ。以降、３２０と表記）、選択枠３３０、追加ボタン３４０、複数のサムネイル画像（３５２ａ〜ｂ。以降、３５２と表記）及びサムネイル画像３５２に対応付けられた表示時間（３５４ａ〜ｂ。以降、３５４と表記）を含む表示画像リスト３５０、削除ボタン３６０、並びに作成ボタン３７０を有する。
【００５０】
利用者は、例えばマウス等のポインティングデバイスを用いて、ポインタ３１０を移動させる。そして、利用者は、画面３００内のオブジェクトに対して選択及び押下等の操作を行う場合に、ポインタ３１０を当該オブジェクトの位置に移動させた後、例えばマウスボタン等を押下することにより、スケジュール生成装置１２０に、何れのオブジェクトが操作対象であるかを指示する。
【００５１】
まず、スケジュール生成装置１２０は、ＤＶＤ−Ｖｉｄｅｏディスク１００から、図４に示したような、電子アルバムに含まれる複数の画像のそれぞれのサムネイル画像を読み出し、複数のサムネイル画像３２０として画面３００に表示する。そして、利用者は、複数のサムネイル画像３２０のうち、何れかのサムネイル画像３２０を選択する。これを受けて、スケジュール生成装置１２０は、利用者が選択したサムネイル画像３２０を囲む選択枠３３０を表示する。
【００５２】
続いて、利用者は、追加ボタン３４０を押下する。これを受けて、スケジュール生成装置１２０は、選択枠３３０で囲まれたサムネイル画像３２０、即ち直前に選択されたサムネイル画像３２０を、表示画像リスト３５０にサムネイル画像３５２として登録する。ここで、利用者は、サムネイル画像３５２の下方に設けられた表示時間３５４を選択し、スケジュール生成装置１２０が有するキーボード等の入力手段を用いて、当該サムネイル画像３５２に対応する表示時間３５４の値を入力する。また、利用者は、何れかのサムネイル画像３５２を選択した後、削除ボタン３６０を押下することにより、当該サムネイル画像３５２を表示画像リスト３５０から削除することができる。
【００５３】
このようにして、表示画像リスト３５０にサムネイル画像３５２を追加した後、利用者は、作成ボタン３７０を押下して、スケジュール生成装置１２０にスケジュールの作成を指示する。これを受けて、スケジュール生成装置１２０は、その時点で表示画像リスト３５０に登録されているサムネイル画像３５２のそれぞれに対応する、電子アルバムに含まれる画像のそれぞれを、スライドショーとして表示する画像として選択する。また、スケジュール生成装置１２０は、表示画像リスト３５０に登録されている順序を、選択した画像の表示順序とする。また、スケジュール生成装置１２０は、選択したそれぞれの画像が含まれるチャプターを示す情報を、例えば図４に示したような、ＤＶＤ−Ｖｉｄｅｏディスク１００に格納される情報から取得する。また、スケジュール生成装置１２０は、選択したそれぞれの画像について、当該画像に対応するサムネイル画像３５２に対応付けて入力された表示時間３５４を、当該画像の再生持続時間とする。以上の情報に基づいて、スケジュール生成装置１２０は、例えば図２に示したような、選択した画像のそれぞれが含まれるチャプターを示す情報、及び当該画像の再生持続時間が、画像の表示順序に従って含まれるスケジュールを生成する。
【００５４】
そして、スケジュール生成装置１２０は、生成したスケジュールをメモリカード１３２に格納する。ここで、メモリカード１３２には、単一のスケジュールが格納されていてよく、また、複数のスケジュールが格納されていてもよい。メモリカード１３２に複数のスケジュールが格納されている場合、電子アルバム表示システム１０は、リモートコントローラ１３０に設けられた入力手段等を介して利用者が選択したスケジュールに従ってスライドショーを表示してよい。
【００５５】
本発明の実施形態に係る電子アルバム表示システム１０によれば、スライドショーにおけるスケジュール、即ち表示する画像の構成、画像の表示順序、及び画像の表示時間等を、利用者が任意に作成することができる。また、作成されたスケジュールが、ビデオストリームの内容を改変することにより保存されるのではなく、ビデオストリームとは異なる場所、具体的にはメモリカード１３２に格納されて保存されることにより、ビデオストリームが書き換え不可能な記録媒体に格納されている場合であっても、利用者は、任意のスケジュールでスライドショーを楽しむことができる。例えば、利用者は、ラボ等で作成されたＤＶＤ−Ｖｉｄｅｏディスク１００に格納されるビデオストリームに、利用者にとって好ましくない画像が含まれている場合であっても、当該画像を表示しないスケジュールでスライドショーを楽しむことができる。また、例えば、利用者は、ビデオストリームにおける画像の表示順序が年代順とは異なる場合であっても、適切な表示順序でスライドショーを楽しむことができる。
【００５６】
更に、電子アルバム表示システム１０によれば、作成されたスケジュールが格納されるメモリカード１３２がリモートコントローラ１３０に対して交換可能に設けられていることにより、利用者毎、または用途毎に異なるスケジュールでスライドショーを表示することができる。例えば、家族全員の画像を用いたスライドショーが１枚のＤＶＤ−Ｖｉｄｅｏディスク１００にビデオストリームとして格納されている場合であっても、当該ＤＶＤ−Ｖｉｄｅｏディスク１００を用いて、家族の各人で異なるスケジュールのスライドショーを楽しむことができ、更に、家族で見る場合と、友人に見せる場合とで、互いに異なるスケジュールを用いることもできる。
【００５７】
なお、スケジュール生成装置１２０は、例えばパーソナルコンピュータ等の独立した装置であってよく、また、リモートコントローラ１３０に含まれていてもよい。スケジュール生成装置１２０がリモートコントローラ１３０に含まれる場合、利用者は、例えば、スライドショーの表示中に、リモートコントローラ１３０に設けられた入力手段を用いて指示することにより、表示中の画像をスケジュールから削除するという様に、スケジュールを容易に編集することができる。
【００５８】
図６は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＤＶＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５９】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００６０】
入出力コントローラ１５８４は、ホスト・コントローラ１５８２と、比較的高速な入出力装置である通信インターフェイス１５３０、ハードディスクドライブ１５４０、ＤＶＤ−ＲＯＭドライブ１５６０を接続する。また、入出力コントローラ１５８４は、コンピュータ１５００に設けられたスロットに挿入される等してコンピュータ１５００に接続されたメモリカード１３２と通信し、メモリカード１３２からプログラム又はデータを入力すると共に、メモリカード１３２に、プログラム、又は、例えばコンピュータ１５００において作成されたスケジュール等のデータを出力する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＤＶＤ−ＲＯＭドライブ１５６０は、ＤＶＤ−ＲＯＭ１５９５からプログラム又はデータを読み取り、ＲＡＭ１５２０を介してハードディスクドライブ１５４０に提供する。また、ＤＶＤ−ＲＯＭドライブ１５６０は、ＤＶＤ−Ｖｉｄｅｏディスク１００から図５に示したデータを読み取り、ＲＡＭ１５２０を介してＣＰＵ１５０５等に提供する。
【００６１】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６２】
ＲＡＭ１５２０を介してハードディスクドライブ１５４０に提供されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図５にかけて説明したスケジュール生成装置１２０として機能させるスケジュール生成プログラムである。
【００６３】
また、メモリカード１３２に出力されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してメモリカード１３２に出力され、リモートコントローラ１３０に提供される。リモートコントローラ１３０に提供されるプログラムは、リモートコントローラ１３０においてインストールされて実行される。リモートコントローラ１３０にインストールされて実行されるプログラムは、リモートコントローラ１３０を、図１から図５にかけて説明したリモートコントローラ１３０として機能させる。なお、リモートコントローラ１３０に提供されるプログラムは、本図に示した形態に限定されず、他の形態でリモートコントローラ１３０に提供されてもよい。
【００６４】
以上に示したプログラムは、外部の記憶媒体に格納されてもよい。記憶媒体としては、フレキシブルディスク１５９０、ＤＶＤ−ＲＯＭ１５９５の他に、ＣＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６６】
【図１】本発明の実施形態に係る電子アルバム表示システム１０の構成の一例を示すブロック図である。
【図２】本発明の実施形態に係るメモリカード１３２に格納されるスケジュールの一例を示す図である。
【図３】本発明の実施形態に係る電子アルバム表示システム１０における処理の流れの一例を示すフローチャートである。
【図４】本発明の実施形態に係るＤＶＤ−Ｖｉｄｅｏディスク１００に格納される情報の一例を示す図である。
【図５】本発明の実施形態に係るスケジュール生成装置１２０が表示する画面３００の一例を示す図である。
【図６】本発明の実施形態に係るコンピュータ１５００のハードウェア構成の一例を示すブロック図である。
【符号の説明】
【００６７】
１０  電子アルバム表示システム、１００  ＤＶＤ−Ｖｉｄｅｏディスク、１１０  ＤＶＤ−Ｖｉｄｅｏ再生装置、１２０  スケジュール生成装置、１３０  リモートコントローラ、１３２  メモリカード、１３４  遠隔操作部、１４０  表示部、３００  画面、３１０  ポインタ、３２０ａ〜ｉ  サムネイル画像、３３０  選択枠、３４０  追加ボタン、３５０  表示画像リスト、３５２ａ〜ｂ  サムネイル画像、３５４ａ〜ｂ  表示時間、３６０  削除ボタン、３７０  作成ボタン
【図１】
2005317171.tif 000003
【図２】
2005317171.tif 000004
【図３】
2005317171.tif 000005
【図４】
2005317171.tif 000006
【図５】
2005317171.tif 000007
【図６】
2005317171.tif 000008